(57)【要約】【課題】電磁波を遮断すると共に、ディスプレイパネルに入射される外部光を効果的に遮断してパネルの明室コントラストを向上させること。【解決手段】  電磁波遮蔽シート１１０は、ベースシート１２０と、ベースシート１２０の第１面上に互いに交差する方向に形成された第１、２パターン部を含む第１層１３０と、ベースシートの第２面上に形成された第３パターン部を含む第２層１４０とを含み、第１、２パターン部は導電性物質を含み、第３パターン部は光吸収物質を含み、第１、２パターン部にうちの少なくとも一つは接地されていることを特徴とする。【選択図】図２
2009139919.tif 000002
【特許請求の範囲】
【請求項１】
ベースシートと、
前記ベースシートの第１面上に互いに交差する方向に形成された第１、２パターン部を含む第１層と、
前記ベースシートの第２面上に形成された第３パターン部を含む第２層と、を含み、
前記第１、２パターン部は導電性物質を含み、前記第３パターン部は光吸収物質を含み、前記第１、２パターン部のうちの少なくとも一つは接地されていることを特徴とする電磁波遮蔽シート。
【請求項２】
前記第１、２パターン部は黒化処理された金属からなることを特徴とする請求項１に記載の電磁波遮蔽シート。
【請求項３】
前記第３パターン部は、前記第１、２パターン部のうちのどれか一つと重畳される位置に形成されることを特徴とする請求項１に記載の電磁波遮蔽シート。
【請求項４】
前記第１、２パターン部のうち、少なくともどれか一つの幅と前記第３パターン部の幅とは互いに異なることを特徴とする請求項１に記載の電磁波遮蔽シート。
【請求項５】
前記第１、２パターン部のうち、前記ベースシートの短辺と並んでいる方向に形成された第２パターン部の幅は、前記第３パターン部の幅より小さいことを特徴とする請求項４に記載の電磁波遮蔽シート。
【請求項６】
前記第１、２パターン部のうち、前記ベースシートの短辺と並んでいる方向に形成された第２パターン部の幅は、前記第１パターン部の幅より小さいことを特徴とする請求項１に記載の電磁波遮蔽シート。
【請求項７】
前記第１パターン部及び第３パターン部のうちの少なくとも一つの幅は５μｍ乃至１００μｍであることを特徴とする請求項６に記載の電磁波遮蔽シート。
【請求項８】
前記第１、２パターン部のうち、前記ベースシートの短辺と並んでいる方向に形成された第２パターン部が接地されることを特徴とする請求項１に記載の電磁波遮蔽シート。
【請求項９】
前記第１層は、前記ベースシートの長辺と並んでいる方向に一列で形成された複数の前記第１パターン部及び前記ベースシートの短辺と並んでいる方向に一列で形成された複数の前記第２パターン部を含み、
互いに隣接した２つの前記第１パターン部の間の間隔は、互いに隣接した２つの前記第２パターン部の間の間隔より小さいことを特徴とする請求項１に記載の電磁波遮蔽シート。
【請求項１０】
前記第２層は前記第３パターン部と交差する方向に形成され、前記第３パターン部の幅より小さい幅を有する第４パターン部を含むことを特徴とする請求項１に記載の電磁波遮蔽シート。
【請求項１１】
前記第１、２層の開口率は５０％乃至９５％であることを特徴とする請求項１に記載の電磁波遮蔽シート。
【請求項１２】
複数の第１、２電極が形成された上部基板と複数の第３電極が形成された下部基板とが結合されて形成されるプラズマディスプレイパネル、及び前記パネルの前面に配置される電磁波遮蔽シートを含むプラズマディスプレイ装置であって、
前記電磁波遮蔽シートは、
ベースシートと、
前記ベースシートの第１面上に形成され、互いに交差する方向の第１、２パターン部を含む第１層と、
前記ベースシートの第２面上に形成された第３パターン部を含む第２層と、を含み、
前記第１、２パターン部は導電性物質を含み、前記第３パターン部は光吸収物質を含み、前記第１、２パターン部のうちの少なくとも一つは接地されていることを特徴とするプラズマディスプレイ装置。
【請求項１３】
前記第１、２パターン部は、前記パネルの上部基板と前記ベースシートとの間に形成されることを特徴とする請求項１２に記載のプラズマディスプレイ装置。
【請求項１４】
前記第１、２パターン部は、前記パネルの上部基板に接して形成されることを特徴とする請求項１２に記載のプラズマディスプレイ装置。
【請求項１５】
前記第３パターン部と前記第１電極とがなす角は、０度以上、５０度以下であることを特徴とする請求項１２に記載のプラズマディスプレイ装置。
【請求項１６】
前記電磁波遮蔽シートと前記パネルの上部基板との間の間隔は０．０２ｍｍ乃至５ｃｍであることを特徴とする請求項１２に記載のプラズマディスプレイ装置。
【請求項１７】
ディスプレイパネルの前面に配置されるフィルタであって、
電磁波遮蔽シートを含む複数のシートが第１ベースシートに積層されて構成され、
前記電磁波遮蔽シートは、
第２ベースシートと、
前記第２ベースシートの第１面上に形成され、互いに交差する方向に形成された第１、２パターン部を含む第１層と、
前記第２ベースシートの第２面上に形成された第３パターン部を含む第２層と、を含み、
前記第１、２パターン部は導電性物質を含み、前記第３パターン部は光吸収物質を含み、前記第１、２パターン部のうちの少なくとも一つは接地されていることを特徴とするフィルタ。
【請求項１８】
前記第１、２パターン部は、前記第１、２ベースシートの間に形成されることを特徴とする請求項１７に記載のフィルタ。
【請求項１９】
前記第１、２パターン部は、前記第１ベースシートに接して形成されることを特徴とする請求項１８に記載のフィルタ。
【請求項２０】
前記第１ベースシートはガラス（glass）からなることを特徴とする請求項１７に記載のフィルタ。
【発明の詳細な説明】
【技術分野】
【０００１】
本発明は、電磁波遮蔽シート及びそれを用いたプラズマディスプレイ装置に関し、より詳しくは、プラズマディスプレイパネルの前面に電磁波遮蔽シートを含むフィルタが付着されたプラズマディスプレイ装置に関する。
【背景技術】
【０００２】
一般に、プラズマディスプレイパネル（Plasma Display Panel）は、放電空間に設けられた電極に所定の電圧を印加して放電を起こし、ガス放電時に発生するプラズマが蛍光体を励起させることによって、文字またはグラフィックを含んだ画像を表示する装置であって、大型化、軽量化、及び平面薄型化が容易であり、上下左右に広い視野角を提供し、フルカラー及び高輝度の具現が可能であるという長所がある。
【０００３】
このようなプラズマディスプレイパネルは、ブラック（Black）映像を具現する時、パネルの下板に露出されている白色系統の蛍光体により外部光がパネルの全面で反射されることで、ブラック映像が明るい系列の暗い色と認知されてコントラストが低下する問題点がある。
【発明の開示】
【発明が解決しようとする課題】
【０００４】
本発明は、上記した従来技術の問題点を解決するために案出されたものであって、電磁波を遮断すると共に、ディスプレイパネルに入射される外部光を効果的に遮断してパネルの明室コントラストを向上させることができる電磁波遮蔽シート及びそれを用いたプラズマディスプレイ装置を提供することをその目的とする。
【課題を解決するための手段】
【０００５】
前述した技術的課題を解決するための本発明による電磁波遮蔽シートは、ベースシートと、上記ベースシートの第１面上に互いに交差する方向に形成された第１、２パターン部を含む第１層と、上記ベースシートの第２面上に形成された第３パターン部を含む第２層とを含み、上記第１、２パターン部は導電性物質を含み、上記第３パターン部は光吸収物質を含み、上記第１、２パターン部のうちの少なくとも一つは接地されていることを特徴とする。
【０００６】
前述した技術的課題を解決するための本発明によるプラズマディスプレイ装置は、複数の第１、２電極が形成された上部基板と複数の第３電極が形成された下部基板とが結合されて形成されるプラズマディスプレイパネル、及び上記パネルの前面に配置される電磁波遮蔽シートを含み、上記電磁波遮蔽シートは、ベースシートと、上記ベースシートの第１面上に形成され、互いに交差する方向の第１、２パターン部を含む第１層と、上記ベースシートの第２面上に形成された第３パターン部を含む第２層とを含み、上記第１、２パターン部は導電性物質を含み、上記第３パターン部は光吸収物質を含み、上記第１、２パターン部のうちの少なくとも一つは接地されていることを特徴とする。
【０００７】
前述した技術的課題を解決するための本発明によるディスプレイ用フィルタは、電磁波遮蔽シートを含む複数のシートが第１ベースシートに積層されて構成され、上記電磁波遮蔽シートは、第２ベースシートと、上記第２ベースシートの第１面上に形成され、互いに交差する方向に形成された第１、２パターン部を含む第１層と、上記第２ベースシートの第２面上に形成された第３パターン部を含む第２層とを含み、上記第１、２パターン部は導電性物質を含み、上記第３パターン部は光吸収物質を含み、上記第１、２パターン部のうちの少なくとも一つは接地されていることを特徴とする。
【発明の効果】
【０００８】
上記のように構成される本発明に係る電磁波遮蔽シート及びそれを用いたプラズマディスプレイ装置によると、ベースシートの第１面に電磁波遮蔽及び外光遮断のための導電性パターンを形成し、第２面に外光遮断のためのパターンを形成することにより、一つのシートを用いて電磁波遮蔽及び外光遮断機能を同時に遂行することができ、それによって製造費用を大きく増加させず、ディスプレイ映像の明室コーントラスを向上させることができる。また、電磁波遮断のためのパターンをフィルタのガラス（glass）基材、またはパネルの上部基板に直接形成させることにより、電磁波遮蔽シートの形成工程を容易にすることができる。
【発明を実施するための最良の形態】
【０００９】
以下、本発明の好ましい実施形態を添付した図１乃至図２０を参照しつつ詳細に説明する。図１は、プラズマディスプレイパネルに対する一実施形態を示す斜視図である。
【００１０】
図１に示すように、プラズマディスプレイパネルは、上部基板１０上に形成される維持電極対であるスキャン電極１１及びサステイン電極１２、下部基板２０上に形成されるアドレス電極２２を含む。
【００１１】
維持電極対１１、１２は、通常、インジウムチンオキサイド（Indium-Tin-Oxide；ＩＴＯ）で形成された透明電極１１ａ、１２ａとバス電極１１ｂ、１２ｂを含み、バス電極１１ｂ、１２ｂは、銀（Ａｇ）、クロム（Ｃｒ）などの金属またはクロム／銅／クロム（Ｃｒ／Ｃｕ／Ｃｒ）の積層型やクロム／アルミニウム／クロム（Ｃｒ／Ａｌ／Ｃｒ）の積層型で形成されることができる。バス電極１１ｂ、１２ｂは透明電極１１ａ、１２ａ上に形成されて、抵抗の高い透明電極１１ａ、１２ａによる電圧降下を減らす役割をする。
【００１２】
一方、本発明の一実施形態によると、維持電極対１１、１２は、透明電極１１ａ、１２ａとバス電極１１ｂ、１２ｂが積層された構造だけでなく、透明電極１１ａ、１２ａ無しでバス電極１１ｂ、１２ｂだけでも構成されることができる。このような構造は、透明電極１１ａ、１２ａを使用しないので、パネル製造コストを低めることができる長所がある。このような構造に使われるバス電極１１ｂ、１２ｂは、上記に列挙した材料の以外に感光性材料等、多様な材料が可能である。
【００１３】
スキャン電極１１及びサステイン電極１２の透明電極１１ａ、１２ａとバス電極１１ｂ、１２ｂとの間には、上部基板１０の外部で発生する外部光を吸収して反射を減らしてくれる光遮断の機能と、上部基板１０のピュリティ（Purity）及びコントラストを向上させる機能をするブラックマトリックス（Black Matrix；ＢＭ）が配列されることができる。
【００１４】
本発明の一実施形態に係るブラックマトリックスは上部基板１０に形成されるが、隔壁２１と重畳される位置に形成される第１ブラックマトリックス１５と、透明電極１１ａ、１２ａとバス電極１１ｂ、１２ｂとの間に形成される第２ブラックマトリックス１１ｃ、１２ｃとから構成されることができる。ここで、第１ブラックマトリックス１５とブラック層またはブラック電極層ともいう第２ブラックマトリックス１１ｃ、１２ｃは、形成過程で同時に形成されて物理的に連結されることができ、同時に形成されなくて物理的に連結できないこともある。
【００１５】
また、物理的に連結されて形成される場合、第１ブラックマトリックス１５と第２ブラックマトリックス１１ｃ、１２ｃとは同一な材質で形成されるが、物理的に分離されて形成される場合は、異なる材質で形成されることができる。
【００１６】
バス電極１１ｂ、１２ｂまたは隔壁２１が暗い色を有することにより、上記ブラックマトリックスのように、外部で発生する外部光を吸収して反射を減らしてくれる光遮断の機能とコントラストを向上させる機能をすることもできる。または、上部基板１０に形成された特定部材、例えば誘電体層１３と下部基板２０に形成された特定部材、例えば隔壁２１が互いに補色関係を有することにより、パネルの前面から見て、重畳される部分が黒色に近く見えるようにして、上記ブラックマトリックスのような機能をすることができる。
【００１７】
スキャン電極１１とサステイン電極１２とが並んで形成された上部基板１０には上部誘電体層１３と保護膜１４が積層される。上部誘電体層１３には放電により発生された荷電粒子が蓄積され、維持電極対１１、１２を保護する機能を遂行することができる。保護膜１４はガス放電時に発生された荷電粒子のスパッタリングから上部誘電体層１３を保護し、２次電子の放出効率を高めることになる。
【００１８】
また、アドレス電極２２はスキャン電極１１及びサステイン電極１２と交差される方向に形成される。また、アドレス電極２２が形成された下部基板２０上には下部誘電体層２４及び隔壁２１が形成される。
【００１９】
また、下部誘電体層２４及び隔壁２１の表面には蛍光体層２３が形成される。隔壁２１は縦隔壁２１ａと横隔壁２１ｂが閉鎖型で形成され、放電セルを物理的に区分し、放電により生成された紫外線と可視光が隣接した放電セルに漏洩することを防止することができる。
【００２０】
図１を参照すると、本発明に係るプラズマディスプレイパネルの前面にはフィルタ１００が形成されることが好ましく、フィルタ１００には、外光遮断シート、ＡＲ（Anti-Reflection）シート、ＮＩＲ（Near Infrared）遮蔽シート、ＥＭＩ（Electro Magnetic Interference）遮蔽シート、拡散シート、光特性シートなどが含まれることができる。
【００２１】
フィルタ１００と上記パネルとの間の間隔が１０μｍ乃至３０μｍである時、外部から入射される光を効果的に遮断することができ、上記パネルで発生される光を外部に効果的に放出することができる。また、外部からの圧力などから上記パネルを保護するために、フィルタ１００と上記パネルとの間の間隔を３０μｍ乃至１２０μｍにすることができ、衝撃を防止するために上記フィルタ１００と上記パネルとの間に衝撃吸収の機能を有する粘着層を形成することができる。
【００２２】
本発明の一実施形態には、図１に図示された隔壁２１の構造だけでなく、多様な形状の隔壁２１の構造も可能である。例えば、縦隔壁２１ａと横隔壁２１ｂの高さが異なる差別型隔壁構造、縦隔壁２１ａまたは横隔壁２１ｂのうちの少なくとも一つ以上に排気通路として使用可能なチャンネル（Channel）が形成されたチャンネル型隔壁構造、縦隔壁２１ａまたは横隔壁２１ｂのうちの一つ以上に溝（Hollow）が形成された溝型隔壁構造などが可能である。
【００２３】
ここで、差別型隔壁構造の場合には横隔壁２１ｂの高さが高いものがより好ましく、チャンネル型隔壁構造や溝型隔壁構造の場合には横隔壁２１ｂにチャンネルが形成されたり溝が形成されることが好ましい。
【００２４】
一方、本発明の一実施形態ではＲ、Ｇ、及びＢ放電セルの各々が同一線上に配列されることと図示及び説明されているが、異なる形状で配列されることも可能である。例えば、Ｒ、Ｇ、及びＢ放電セルが三角形状で配列されるデルタ（Delta）タイプの配列も可能である。また、放電セルの形状も四角形状だけでなく、五角形、六角形などの多様な多角形状も可能である。
【００２５】
また、蛍光体層２３はガス放電時に発生された紫外線により発光されて、赤色（Ｒ）、緑色（Ｇ）、または青色（Ｂ）のうちのどれか一つの可視光を発生することになる。ここで、上部／下部基板１０、２０と隔壁２１との間に設けられた放電空間には、放電のためのＨｅ＋Ｘｅ、Ｎｅ＋Ｘｅ、及びＨｅ＋Ｎｅ＋Ｘｅなどの不活性混合ガスが注入される。
【００２６】
図２は、本発明に係る電磁波遮蔽シートの概略的な断面構造に対する一実施形態を示す断面図である。
【００２７】
図２を参照すると、電磁波遮蔽シート１１０は、ベースシート１２０、ベースシート１２０の第１面に形成される第１層１３０、及びベースシート１２０の第２面に形成される第２層１４０を含んで構成されることができる。
【００２８】
ベースシート１２０は、光が円滑に透過できるように透明なプラスチック材質、例えば紫外線（ＵＶ）硬化方式により形成された樹脂（Resin）系列の物質からなることが好ましく、パネルの前面を保護する効果を高めるために堅いガラス（Glass）材質が使われることができる。
【００２９】
より具体的に、ベースシート１２０は、ポリエチレンテレフタレートやポリエチレンナフタレートのようなポリエステル系樹脂、ナイロン６やナイロン６１０のようなポリアミド系樹脂、ポリプロピレン、ポリメチルペンテンのようなポリオレフィン系樹脂、ポリ塩化ビニールなどのビニール系樹脂、ポリ（メタ）アクリレートやポリメチル（メタ）アクリレートのようなアクリル系樹脂、ポリアリレート、ポリスルホン、ポリフェニレンエーテル 、ポリアラミドのようなエンジニアリング樹脂、ポリカーボネート、ポリスチレンのようなスチレン系樹脂、トリアセチルセルロース（ＴＡＣ）などのセルロース系樹脂などを含むことができる。
【００３０】
ベースシート１２０の透過率を８０％以上に維持してディスプレイ映像の輝度を改善し、外部圧力などによる電磁波遮蔽シートの損傷を防止するために、ベースシート１２０の厚さは５０μｍ乃至２００μｍでありうる。
【００３１】
パネルから前面に放射される電磁気波は観察者の人体に悪影響を及ぼすことになり、パネルから後面に放射される電磁気波はパネル駆動回路に影響を及ぼすことになって誤動作を起こすことがある。
【００３２】
また、パネルの下板に露出されている白色系統の蛍光体により外部光がパネルの全面で反射されることで、ブラック映像が明るい系列の暗い色と認知されてコントラストが低下することがある。
【００３３】
第１層１３０は、上記のような電磁気波を遮蔽することを主機能とする電磁波遮蔽層であることができ、第２層１４０は外部から入射される外光を吸収することを主機能とする外光遮断層であることができる。
【００３４】
図２に示すように、第１層１３０は導電性物質を含む複数のパターン部１５０を含むことができ、複数のパターン部１５０のうちの少なくとも一部はグラウンド電圧源に電気的に連結されて電磁気波をグラウンドに放電させることによって、電磁気波を遮蔽することができる。例えば、第１層１３０に含まれたパターン部１５０がグラウンド電圧源に接地されたプラズマディスプレイ装置のバックカバーに電気的に接続されて、電磁気波をグラウンドに放電させて遮蔽することができる。
【００３５】
第１層１３０に形成された複数のパターン部１５０は、抵抗が小さい導電性物質である銅（Ｃｕ）、銀（Ａｇ）、金（Ａｕ）、アルミニウム（Ａｌ）、ニッケル（Ｎｉ）、白金（Ｐｔ）、及びカーボンナノチューブ（ＣＮＴ）のうちの少なくとも一つを含むことができる。また、複数のパターン部１５０はメッシュ形状のパターンを有することができる。
【００３６】
第２層１４０は、外光を吸収するための複数のパターン部１６０を含むことができる。第２層１４０に形成された複数のパターン部１６０は、ベースシート１２０より暗い色の物質で形成され、好ましくは黒色の物質からなる。複数のパターン部１６０は光吸収物質、例えばカーボン（carbon）系列の物質を含んだり黒色の染料を塗布して外光を吸収する効果を極大化することができる。
【００３７】
より具体的に、第２層１４０に形成された複数のパターン部１６０は、光吸収粒子を含むことができ、光吸収粒子は特定色で着色された樹脂粒子でありうる。光吸収効果を最大化するために、光吸収粒子は黒色で着色されることが好ましい。
【００３８】
光吸収粒子の製造及びパターン部１６０の内部への添加が容易であり、外光を吸収する効果を最大化するために、光吸収粒子のサイズは１μｍ以上であることができる。また、光吸収粒子のサイズが１μｍ以上の場合、パターン部１６０に屈折される外光を効果的に吸収するために、パターン部１６０は光吸収粒子を１０重量％以上含むことができる。即ち、パターン部１６０の全体重量の１０％以上の重量の光吸収粒子がパターン部１６０に含まれることができる。
【００３９】
外部光源は、パネルの上側に位置することが一般的であるので、外光は上側から斜めにパネルに入射されることができる。
【００４０】
図３を参照すると、パネルに斜めに入射される外光（破線で表示される）は、ベースシート２２０の第２面に形成された複数のパターン部２４０に吸収され、またベースシート２２０の第１面に形成された複数のパターン部２３０にも吸収されることができる。
【００４１】
また、ディスプレイのためにパネル２００から出るパネル光（実線で表示される）は、複数のパターン部２３０、２４０が形成されない部分を通じて外部に放出される。
【００４２】
ベースシート２２０の第１面に形成された複数のパターン部２３０の外光遮断効率を向上させるために、パターン部２３０は黒化処理されることができ、例えば表面が黒化処理された金属でありうる。
【００４３】
したがって、本発明に係る電磁波遮蔽シート２１０は、電磁波を遮蔽すると共に、外光を遮断する機能を遂行することができ、パネル光（実線で表示される）の透過率を向上させて、ディスプレイ映像の輝度を低下させず、明室コントラストを向上させることができる。
【００４４】
外光遮断効果を極大化すると共に、パネル光の透過率を向上させ、ディスプレイ映像のぼかし（blurring）現象を減少させるために、電磁波遮蔽シート２１０とパネル２００との間の距離（ｄ）は０．０２ｍｍ乃至５ｃｍであることが好ましい。
【００４５】
図４及び図５は、ベースシート２２０の第１面に形成された電磁波遮蔽層の構成に対する実施形態を図示したものである。
【００４６】
図４を参照すると、ベースシート２２０の第１面に形成された電磁波遮蔽層は、互いに交差する方向に形成された複数のパターン部２３１、２３２を含むことができる。
【００４７】
即ち、電磁波遮蔽層はベースシート２２０の長辺と並んでいる方向に形成された複数の水平パターン部２３１と、ベースシート２２０の短辺と並んでいる方向に形成された複数の垂直パターン部２３２とを含むことができる。
【００４８】
本発明に係る一実施形態によると、垂直パターン部２３２は、グラウンド電圧源に電気的に連結されて電磁気波をグラウンドに放電させることによって、電磁気波を遮蔽する機能をすることができ、水平パターン部２３１はパネルの上側から斜めに入射される外光を吸収する機能をすることができる。
【００４９】
図５は、図４に図示された電磁波遮蔽層のうち、破線で表示された部分を拡大図示したものである。
【００５０】
図５を参照すると、電磁波遮蔽シートの開口率減少によるディスプレイ映像の輝度の低下を防止し、パネルの左右視野角の減少を最小化するために、電磁波遮蔽のための垂直パターン部２３２の幅（ｗ２）は外光遮断のための水平パターン部の幅（ｗ１）より小さいことが好ましい。
【００５１】
電磁波遮蔽シートに形成されたパターン部２３１、２３２が使用者の視覚に露出されてディスプレイ映像の画質が低下することを防止するために、水平パターン部の幅（ｗ１）及び垂直パターン部２３２の幅（ｗ２）は１００μｍ以下であることができる。但し、外光遮断機能または電磁波遮蔽機能を遂行するために、水平パターン部の幅（ｗ１）及び垂直パターン部２３２の幅（ｗ２）は５μｍ以上であることが好ましい。
【００５２】
また、上記電磁波遮蔽シートに形成された複数のパターン部２３１、２３２と所定のパターンを有してパネルに形成されたブラックマトリックス、ブラック層、バス電極、隔壁などが重畳されることによってモアレ現象が発生できることになる。モアレ現象とは、似た格子形態のパターンが重畳されながら発生する低周波のパターンをいうが、例えばカヤが重なって置かれている時に見える波紋パターンなどがある。
【００５３】
上記のようなモアレ現象を低減させるために、水平パターン部の幅（ｗ１）は３０μｍ以下であることができる。
【００５４】
また、上記のようなディスプレイ映像の輝度の低下及び左右視野角の減少を防止するために、互いに隣接した垂直パターン部２３２の間の間隔（ｐ２）は互いに隣接した水平パターン部２３１の間の間隔（ｐ１）より大きいことが好ましい。
【００５５】
一般に、パネルに入射されて明室コントラストの低下に影響を及ぼす外光は主にパネルの位置より上側に位置することになり、約３０度乃至６０度の入射角を有してパネルに入射される。
【００５６】
前述したように、３０度乃至６０度の入射角を有して入射する外光を効果的に吸収すると共に、電磁波遮蔽シートの透過率を確保してディスプレイ映像の輝度の低下を最小化するために、互いに隣接した水平パターン部２３１の間の間隔（ｐ１）は３０μｍ乃至１０００μｍでありうる。
【００５７】
また、垂直パターン部２３２の間の間隔（ｐ２）があまりに小さくなる場合、電磁波遮蔽シートの透過率が減少され、垂直パターン部２３２の間の間隔（ｐ２）があまりに大きくなる場合、電磁気波遮蔽性能が低下されることができるので、垂直パターン部２３２の間の間隔（ｐ２）は３０μｍ乃至２０００μｍの範囲を有することができる。
【００５８】
ディスプレイ映像の輝度の低下を防止するために、図４及び図５に図示されたような複数のパターン部２３１、２３２を含む電磁波遮蔽層は５０％乃至９５％の開口率を有することが好ましい。
【００５９】
図６及び図７は、ベースシート２２０の第２面に形成された外光遮断層の構成に対する実施形態を図示したものである。
【００６０】
図６を参照すると、ベースシート２２０の第２面に形成された外光遮断層は一列で形成された複数の外光吸収パターン部２４１を含むことができる。複数の外光吸収パターン部２４１はベースシートの長辺と並んでいる方向に形成されることができる。
【００６１】
前述したように、外光吸収パターン部２４１はパネルの上側から斜めに入射される外光を吸収することができる。
【００６２】
図７は、図６に図示された外光遮断層のうち、破線で表示された部分を拡大図示したものである。
【００６３】
図７を参照すると、電磁波遮蔽シートに形成された外光吸収パターン部２４１が使用者の視覚に露出されることを防止するために、外光吸収パターン部２４１の幅（ｗ３）は１００μｍ以下であることができる。但し、外光遮断機能が低下することを防止するためには外光吸収パターン部２４１が５μｍ以上であることが好ましい。
【００６４】
また、上記のようなモアレ現象を減少させるために、外光吸収パターン部２４１の幅（ｗ３）は５μｍ乃至３０μｍでありうる。
【００６５】
外光吸収効率を向上させると共に、電磁波遮蔽シートの透過率を確保してディスプレイ映像の輝度の低下を最小化するために、互いに隣接した外光吸収パターン部２４１の間の間隔（ｐ３）は３０μｍ乃至１０００μｍでありうる。
【００６６】
ディスプレイ映像の輝度低下及び左右視野角の減少を最小化すると共に、電磁波遮蔽シートの製作工程の容易性を考慮すると、外光吸収パターン部２４１の幅（ｗ３）は水平パターン部２３１の幅（ｗ１）と同一であることができ、電磁波遮蔽層の垂直パターン部２３２の幅（ｗ２）より大きいことができる。
【００６７】
また、外光吸収パターン部２４１の間の間隔（ｐ３）は水平パターン部２３１の間の間隔（ｐ１）と同一であることができ、電磁波遮蔽層の垂直パターン部２３２の間の間隔（ｐ２）より小さいことができる。
【００６８】
ディスプレイ映像の輝度の低下を防止するために、図６及び図７に図示されたような複数のパターン部２４１を含む外光遮断層は５０％乃至９５％の開口率を有することが好ましい。
【００６９】
前述したように、電磁波遮蔽シートの電磁波遮蔽層に含まれた水平パターン部２３１と、外光遮断層に含まれる外光吸収パターン部２４１は、互いに重畳されるパターンを有することができるので、上記２つのパターン部２３１、２４１の重畳によるモアレ現象が発生することができる。
【００７０】
したがって、図８に示すように、外光遮断層に含まれる外光吸収パターン部２４１は、電磁波遮蔽層に含まれた水平パターン部２３１を基準にして斜めに形成されることができる。
【００７１】
但し、水平パターン部２３１と外光吸収パターン部２４１とがなす角（θ１）があまりに大きくなる場合、電磁波遮蔽シートの開口率が減少されてディスプレイ映像の輝度が低下することができる。
【００７２】
したがって、ディスプレイ映像の輝度を大きく低下させなくてモアレ現象を防止するために、水平パターン部２３１と外光吸収パターン部２４１とがなす角（θ１）は１．１度乃至２５度であることができる。
【００７３】
図９及び図１０は、本発明に係る電磁波遮蔽シートに形成された複数のパターン部の前面形状に対する他の実施形態を図示したものである。
【００７４】
図９を参照すると、電磁波遮蔽層に形成された垂直パターン部３１０、３２０の位置が一致しなくて、互いに交互に形成されることができる。
【００７５】
図９に図示されたような前面形状を有する電磁波遮蔽シートにより、パネルに形成された電極との間で一定のパターンが重畳されることにより発生するモアレ現象を減少させることができる。
【００７６】
また、図１０に示すように、電磁波遮蔽層に形成された水平パターン部３３０と垂直パターン部３４０とが直交せず、垂直パターン部３４０が斜めに形成されることができる。
【００７７】
図１０に図示したような前面形状を有する電磁波遮蔽シートにより、パネルに形成された電極や隔壁などとの間で一定パターンが重畳されることにより発生するモアレ現象を減少させることができる。
【００７８】
ディスプレイ映像の輝度を大きく低下させなくてモアレ現象を防止するために、水平パターン部３３０と垂直パターン部３４０とがなす角（θ２）は６５度乃至８９度でありうる。
【００７９】
図６及び図７に図示された電磁波遮蔽シートの外光遮断層は、ベースシートの長辺と並んでいる方向の外光吸収パターン部２４１のみを含んだが、本発明に係る電磁波遮蔽シートの外光遮断層は、図４、図９、または図１０に示すように、ベースシートの短辺と並んでいる方向の外光吸収パターン部も含むことができる。
【００８０】
図１１乃至図１７は、本発明に係る電磁波遮蔽シートの断面構造に対する実施形態を示す断面図である。
【００８１】
電磁波遮蔽シートの開口率を向上させてディスプレイ映像の輝度を改善するために、図１１及び図１２に示すように、ベースシート４００の第１面に形成された水平パターン部４１０と第２面に形成された外光吸収パターン部４２０は、互いに重畳される位置に形成されることが好ましい。
【００８２】
また、図１３に示すように、ベースシート４００の第１面に形成された水平パターン部４１０と第２面に形成された外光吸収パターン部４２０は一部が重畳されるように形成されることができる。
【００８３】
本発明に係る電磁波遮蔽シートの外光遮断層に形成された外光吸収パターン部の断面形状は、前述したような四角形の以外に、種々の形態を有することができる。
【００８４】
図１４を参照すると、電磁波遮蔽シートの外光遮断層に形成された外光吸収パターン部５２０は、三角形、例えば二等辺三角形の断面形状を有することができる。
【００８５】
また、図１５に示すように、外光吸収パターン部５２０の隅部分が曲線形態の断面形状を有することができる。
【００８６】
上記では電磁波遮蔽シートの外光遮断層に形成された外光吸収パターン部の断面形状に対して説明したが、本発明に係る電磁波遮蔽シートの電磁波遮蔽層に形成されたパターン部の断面形状も四角形の以外の種々の形状を有することができる。
【００８７】
図１６及び図１７は、本発明に係る電磁波遮蔽シートの断面構造に対する更に他の実施形態を図示したものであり、本発明に係る電磁波遮蔽シートは、２つ以上のベースシートを含むことができる。
【００８８】
図１６を参照すると、第１ベースシート６００と第２ベースシート６１０が積層され、第１ベースシート６００上に複数のパターン部６２０を含む第１層が形成され、第１ベースシート６００と第２ベースシート６１０との間に複数のパターン部６３０を含む第２層が形成されることができる。
【００８９】
例えば、第１ベースシート６００と第２ベースシート６１０との間に形成された複数のパターン部６３０は、外光を吸収するための外光吸収パターン部であることができ、複数のパターン部６３０の断面形状は、図１６に図示されたような三角形の以外に、四角形など、種々の形態を有することができる。
【００９０】
図１７を参照すると、本発明に係る電磁波遮蔽シートは、第１ベースシート７００、第２ベースシート７１０、及び第３ベースシート７２０が積層された構造でありうる。
【００９１】
第１、２ベースシート７００、７１０の間に電磁波遮蔽のための複数のパターン部７３０が形成され、第１、３ベースシート７００、７２０の間に外光吸収のための複数のパターン部７４０が形成されることができる。
【００９２】
図１６及び図１７に図示されたような断面構造により、外部圧力などによる電磁波遮蔽シートの損傷を防止することができ、電磁波遮蔽シートの製造工程を容易にすることができる。
【００９３】
例えば、図１６に図示された断面構造の場合、第２ベースシート６１０に複数の溝を形成した後、上記複数の溝を光吸収物質を含む物質を利用して詰めることにより、複数の外光吸収パターン部６３０を形成することができる。
【００９４】
図１８は、プラズマディスプレイパネルの前面に配置された電磁波遮蔽シートの構造に対する一実施形態を図示したものである。
【００９５】
電磁波遮蔽シートに所定の間隔で形成された複数のパターン部８１０、８２０とパネル８００に所定のパターンを有して形成されたブラックマトリックス、ブラック層、バス電極、隔壁などが重畳されることによりモアレ現象が発生できることになる。
【００９６】
上記のような電磁波遮蔽シートとパネルとの間のモアレ現象の発生を減少させるために、図１８に示すように、パネルを基準にして電磁波遮蔽シートを斜めに配置させることができる。
【００９７】
但し、電磁波遮蔽シートに形成された水平パターン部８１０とパネル８００の長辺とがなす角（θ３）があまりに大きくなる場合、パネルの左右視野角が過度に減少し、ディスプレイ映像の明室コントラストが低下することができる。
【００９８】
したがって、パネルの左右視野角を十分に確保し、ディスプレイ映像の明室コントラストを改善すると共に、モアレ現象を減少させるために、水平パターン部８１０とパネル８００の長辺とがなす角（θ３）は０度以上、５０度以下であることが好ましい。
【００９９】
図１９乃至図２３は、本発明に係る電磁波遮蔽シートの形成方法に対する実施形態を示す断面図である。
【０１００】
図１９を参照すると、第１ベースシート９１０上に電磁波遮蔽のための複数の電磁波遮蔽パターン９２０が形成され、第２ベースシート９００上に外光遮断のための外光遮断パターン９３０が形成されることができる。
【０１０１】
前述したように、第１、２ベースシート９００、９１０は、光が円滑に透過できるように透明なプラスチック材質、例えば紫外線（ＵＶ）硬化方式により形成された樹脂（Resin）系列の物質からなることが好ましく、パネルの前面を保護する効果を高めるために、堅いガラス（Glass）材質が使われることができる。
【０１０２】
図１９に図示された電磁波遮蔽シートにおいて、電磁波遮蔽パターン９２０と外光遮断パターン９３０の位置が互いに変わることができる。例えば、第１、２ベースシート９００、９１０の間に外光遮断パターン９３０が位置することができる。
【０１０３】
図２０を参照すると、電磁波遮蔽パターン９６０のうち、パネルの外郭に位置する電磁波遮蔽パターンが接地されるようにするために、電磁波遮蔽パターン９６０が形成された第１ベースシート９５０が外光遮断パターン９７０が形成された第２ベースシート９４０より広い面積を有することができる。
【０１０４】
図２１を参照すると、本発明に係るディスプレイ用フィルタは、第１ベースシート１０００上に複数の機能層１０４０、１０５０、１０６０が積層された構造を有することができ、複数の機能層１０４０、１０５０、１０６０は、ＡＲ（Anti-Reflection）層、ＮＩＲ（NearInfrared）遮蔽層、または光特性層などになることができる。
【０１０５】
上記ＡＲ（Anti-Reflection）層は外部から入射される光が反射されることを防止して眩しさ現象を減少させ、ＮＩＲ（NearInfrared）遮蔽層はパネルから放射される近赤外線を遮蔽してリモコンなどのように赤外線を用いて伝えられる信号が正常に伝達できるようにすることができる。
【０１０６】
また、光特性層は所定の染料または顔料を含んで、パネル光の色温度及び輝度特性を改善させる機能をすることができる。
【０１０７】
複数の機能層１０４０、１０５０、１０６０の間には粘着層１０７０が形成されて、それぞれの機能層が堅く付着できるようにする。また、それぞれの機能層の間に透明な材質のベースシート（図示せず）が形成されることができる。
【０１０８】
複数の機能層１０４０、１０５０、１０６０の積層順序は当業者により違うように積層されることができる。また、それぞれのシートのうち、少なくともどれか一層が省略されることもできる。
【０１０９】
第１ベースシート１０００は、パネルの前面を保護する効果を高めるために堅いガラス（Glass）材質が使われることができる。
【０１１０】
図２１に示すように、複数の機能層１０４０、１０５０、１０６０が積層された第１ベースシート１０００上に直接電磁波遮蔽パターン１０２０が形成されることができる。例えば、オフセット（off-set）、印刷、またはメッキなどの方式によりガラス材質の第１ベースシート１０００上に直接電磁波遮蔽パターン１０２０を形成することができる。
【０１１１】
一方、第２ベースシート１０１０上に外光遮断パターン１０３０が形成されることができ、第２ベースシート１０１０は光が円滑に透過できるように透明なプラスチック材質、例えば紫外線（ＵＶ）硬化方式により形成された樹脂（Resin）系列の物質からなることができる。
【０１１２】
図２１に図示されたフィルタ構造において、電磁波遮蔽パターン１０２０と外光遮断パターン１０３０の位置が互いに変わることができる。例えば、第１ベースシート１０００上に外光遮断パターン１０３０が直接形成されることができる。
【０１１３】
図２２は、本発明に係る電磁波遮蔽シートがパネルの前面に形成されたプラズマディスプレイ装置の構成に対する更に他の実施形態を簡略に示す断面図であり、図１を参照して説明したプラズマディスプレイパネルの構造と同一なものに対しては、その説明を省略する。
【０１１４】
図２２を参照すると、スキャン電極及びサステイン電極１１、１２が形成された上部基板１０上に電磁波遮蔽パターン１１２０が直接形成されることができる。例えば、オフセット（off-set）、印刷、またはメッキなどの方式によりガラス材質のパネル上部基板１０上に直接電磁波遮蔽パターン１０２０が形成されることができる。
【０１１５】
また、電磁波遮蔽パターン１０２０上にベースシート１１００が形成され、ベースシート１１００上に外光遮断パターン１１１０が形成されることができる。ベースシート１１００は光が円滑に透過できるように透明なプラスチック材質、例えば紫外線（ＵＶ）硬化方式により形成された樹脂（Resin）系列の物質からなることができる。
【０１１６】
図２３を参照すると、外光遮断パターン１１１０上にフィルタのベースシート１１３０が形成され、上記フィルタのベースシート１１３０上に図２１を参照して説明したような複数の機能層１１４０が積層されることができる。
【０１１７】
上記フィルタのベースシート１１３０は、光が円滑に透過できるように透明なプラスチック材質、例えば紫外線（ＵＶ）硬化方式により形成された樹脂（Resin）系列の物質からなることが好ましく、パネルの前面を保護する効果を高めるために堅いガラス（Glass）材質が使われることができる。
【０１１８】
また、本発明に係る電磁波遮蔽シートは、前述したプラズマディスプレイパネルだけでなく、ＬＣＤ（Liquid Crystal Display）、ＯＬＥＤ（Organic Light Emitting Diodes）、ＦＥＰ（Field Emission Display）、ＳＥＤ（Surface-conduction Electron-emitter Display）等、種々のディスプレイパネルに使われることができる。
【０１１９】
以上、本発明の好ましい実施形態に対して詳述したが、本発明が属する技術分野で通常の知識を有する者であれば、添付の特許請求の範囲に定義された本発明の技術思想及び範囲を逸脱することなく、本発明を種々の変形または変更して実施できることが分かる。したがって、本発明のさらなる実施形態の変更は本発明の技術思想から外れることができないものである。
【図面の簡単な説明】
【０１２０】
【図１】プラズマディスプレイパネルの構造に対する一実施形態を示す斜視図である。
【図２】本発明に係る電磁波遮蔽シートの概略的な断面構造に対する一実施形態を示す断面図である。
【図３】本発明に係る電磁波遮蔽シートの機能を説明するための断面図である。
【図４】電磁波遮蔽シートのベースシート上に形成された第１層の構成に対する実施形態を示す図である。
【図５】電磁波遮蔽シートのベースシート上に形成された第１層の構成に対する実施形態を示す図である。
【図６】電磁波遮蔽シートのベースシート上に形成された第２層の構成に対する実施形態を示す図である。
【図７】電磁波遮蔽シートのベースシート上に形成された第２層の構成に対する実施形態を示す図である。
【図８】電磁波遮蔽シートに形成されたパターン部の構成に対する一実施形態を示す図である。
【図９】電磁波遮蔽シートのベースシート上に形成されたパターン部の構成に対する他の実施形態を示す図である。
【図１０】電磁波遮蔽シートのベースシート上に形成されたパターン部の構成に対する他の実施形態を示す図である。
【図１１】本発明に係る電磁波遮蔽シートの断面構造に対する実施形態を示す断面図である。
【図１２】本発明に係る電磁波遮蔽シートの断面構造に対する実施形態を示す断面図である。
【図１３】本発明に係る電磁波遮蔽シートの断面構造に対する実施形態を示す断面図である。
【図１４】本発明に係る電磁波遮蔽シートの断面構造に対する実施形態を示す断面図である。
【図１５】本発明に係る電磁波遮蔽シートの断面構造に対する実施形態を示す断面図である。
【図１６】本発明に係る電磁波遮蔽シートの断面構造に対する実施形態を示す断面図である。
【図１７】本発明に係る電磁波遮蔽シートの断面構造に対する実施形態を示す断面図である。
【図１８】プラズマディスプレイパネルの前面に配置された電磁波遮蔽シートの構造に対する一実施形態を示す図である。
【図１９】本発明に係る電磁波遮蔽シートの形成方法に対する実施形態を示す図である。
【図２０】本発明に係る電磁波遮蔽シートの形成方法に対する実施形態を示す図である。
【図２１】本発明に係る電磁波遮蔽シートの形成方法に対する実施形態を示す図である。
【図２２】本発明に係る電磁波遮蔽シートの形成方法に対する実施形態を示す図である。
【図２３】本発明に係る電磁波遮蔽シートの形成方法に対する実施形態を示す図である。
【図１】
2009139919.tif 000003
【図２】
2009139919.tif 000004
【図３】
2009139919.tif 000005
【図４】
2009139919.tif 000006
【図５】
2009139919.tif 000007
【図６】
2009139919.tif 000008
【図７】
2009139919.tif 000009
【図８】
2009139919.tif 000010
【図９】
2009139919.tif 000011
【図１０】
2009139919.tif 000012
【図１１】
2009139919.tif 000013
【図１２】
2009139919.tif 000014
【図１３】
2009139919.tif 000015
【図１４】
2009139919.tif 000016
【図１５】
2009139919.tif 000017
【図１６】
2009139919.tif 000018
【図１７】
2009139919.tif 000019
【図１８】
2009139919.tif 000020
【図１９】
2009139919.tif 000021
【図２０】
2009139919.tif 000022
【図２１】
2009139919.tif 000023
【図２２】
2009139919.tif 000024
【図２３】
2009139919.tif 000025